(57)【要約】【課題】  外部の新鮮な空気を室内に取り入れながら、室内温度の調整を任意に行える空調装置を提供することを目的とする。【解決手段】  空調装置を、天井埋込形空気調和機１と、方形状の筐体８内に全熱交換器９を設け、屋外側給気ダクト１５と、室外側排気ダクト１６と、室内側排気ダクト１７を延出するとともに、流路切換装置１９を介して室内側給気ダクト１８と前記天井埋込形空気調和機１に連結される連結ダクト２１と延出した換気装置２とで構成することにより、これらの個別運転と、室内から吸込まれた空気と、外気からの給気とを混合して熱交換し、室内に送出する併用運転とが行えるようにする。又、室温の影響を抑えるよう加熱ヒータ１４と流量調節弁２４と温度センサとを設けて、前記天井埋込形空気調和機１に供給する空気量と温度を調整する。【選択図】図１
2005337634.tif 000002
【特許請求の範囲】
【請求項１】
吸込口と吹出口とを備えた本体内に、送風ファンと熱交換器とを配設した空気調和機と、筐体内を給気経路と排気経路とに区画して全熱交換器を設けた換気装置と、これら空気調和機と換気装置とを連結する連結ダクトからなり、
同連結ダクトが、前記換気装置の前記給気経路と、前記空気調和機の前記熱交換器上流側とを接続するとともに、前記給気経路又は前記連結ダクトに、加熱手段と流量調節手段とを備えてなることを特徴とする空調装置。
【発明の詳細な説明】
【技術分野】
【０００１】
本発明は、換気運転と空調運転とを併用して行える空調装置に関わり、より詳細には、併用運転の際にも室温の変動を極力抑制できるようにした構成に関する。
【背景技術】
【０００２】
換気と空調とを併用して行える従来の空調装置は、例えば図５で示すように、筐体内を仕切板により空調室３０と換気室３１とに区画し、空調室３０に、吸込口３２ａと吹出口３２ｂを設けるとともに、フィルタ３３と、ファンモータ３５に駆動される送風ファン３４と熱交換器３６とを設けている。前記換気室３１には、外部からの給気と、室内からの排気との熱交換を行う換気装置３７と、ファンモータ３９により駆動される送風ファン３８が設けられとともに、室外側給気口４０と室内側排気口４１と室外排気口４３とが設けられており、又、空気流路を開閉する開閉ダンパ４３が備えられている（例えば、特許文献１参照。）。
【０００３】
室内の空調と換気とを個別に行う場合は、前記空調室３０において、前記吸込口３２ａから吸込まれた室内の空気を前記フィルタ３３を介して前記送風ファン３４により前記熱交換器３６に送り、同熱交換器３６で熱交換した後、前記吹出口３２ｂから室内に送出する一方、前記換気室３１において、前記室外側給気口４０から吸込まれた外気と前記室内側排気口４１から吸込まれた室内の空気とを前記換気装置３７にて熱交換した後、夫々室内と室外とに送出するようになっている。空調と換気とを併用して行う場合は、前記室外側給気口４０から吸込まれた外気を、前記換気装置３７で排気と熱交換し、仕切板に設けられた開口部を介して前記空調室３０に送り、前記熱交換器３６で熱交換した後、前記吹出口３２ｂから室内に送出するようになっている。これにより、前記熱交換器３６に掛かる負荷を低減して所謂省エネをはかれるようになっている。
【０００４】
しかしながら、冬場等の低外気温時に換気運転と暖房運転とを併用して行うと、前記換気装置３７の熱交換容量が低いことにより、外部からの冷気が室内に侵入し、室温の低下を招いてしまうというような不具合を生じる場合があった。
【０００５】
【特許文献１】特開平１−１２３９２９号
【発明の開示】
【発明が解決しようとする課題】
【０００６】
本発明は、上記問題点に鑑み、換気運転と空調運転を併用して行う場合にも、室温への影響を極力抑制できる空調装置を提供することを目的とする。
【課題を解決するための手段】
【０００７】
本発明は、上記課題を解決するため、吸込口と吹出口とを備えた本体内に、送風ファンと熱交換器とを配設した空気調和機と、筐体内を給気経路と排気経路とに区画して全熱交換器を設けた換気装置と、これら空気調和機と換気装置とを連結する連結ダクトからなり、同連結ダクトが、前記換気装置の前記給気経路と、前記空気調和機の前記熱交換器上流側とを接続するとともに、前記給気経路又は前記連結ダクトに、加熱手段と流量調節手段とを備えた構成となっている。
【発明の効果】
【０００８】
本発明によると、熱交換器と送風ファンとを備えた空気調和機と、方形状の筐体内に換気装置を設け、室外側給気ダクトと、室外側排気ダクトと、室内側排気ダクトを延出するとともに、流路切換装置を介して前記空気調和機に接続される連結ダクトと延出した換気装置とを連結するとともに、給気を加熱する加熱手段と、給気量を調節する流量調節手段とを設けることにより、換気運転と空調運転を併用する際にも、室温への影響を抑制できる空調装置とすることができる。
【発明を実施するための最良の形態】
【０００９】
以下、本発明の実施の形態を、添付図面に基づいた実施例として詳細に説明する。
【実施例１】
【００１０】
図１は本発明による空調装置の断面図であり、図２は、同空調装置を構成する換気装置と、これに備えられた換気装置を示す斜視図である。図３は空調運転と換気運転とを個別に行う場合の説明図であり、図４は換気運転と空調運転とを併用する場合の説明図である。
【００１１】
本発明による空調装置は、図１で示すように、天井面７１内に収納設置される天井埋込形空気調和機１及び換気装置２とを連結して構成されている。天井埋込形空気調和機１は、上面が閉塞され下面が開放された略多角形状の筐体３と、同筐体３の開放された下面に装着され、中央部を開口して吸込口を形成する一方、同吸込口の四囲に風向偏向板５ａを備えた吹出口５を形成した化粧パネル３ａと、同化粧パネル３ａの吸込口に開閉自在に装着され、裏面にフィルタ４ａを備えた吸込グリル４とで外郭を構成されている。
【００１２】
前記吸込グリル４と前記吹出口５とを結ぶ空気流路には、多数のブレードを備え前記吸込グリル４を介して吸込まれた室内の空気を円周方向に吹出す遠心ファン６と、同遠心ファン６を駆動するファンモータ７が設けられるとともに、これらを囲繞する熱交換器７が設けられている。
【００１３】
前記吸込グリル４を介して吸込まれた室内の空気は、同吸込グリル４の裏面に備えられたフィルタ４ａにより塵埃が除去され清浄化された後、前記遠心ファン６により前記熱交換器７に送られて熱交換され、前記吹出口５から室内に送出されるようになっている。
【００１４】
前記換気装置２は、図２（Ａ）で示すように、方形状の筐体８と、同筐体８内に長手方向に沿って区画する区画板１０と、短手方向に沿って区画する区画する区画板１１とを設け、これら区画板の交差部に全熱交換器９を設けている。又、前記筐体８の室外壁７０側には、室外側給気口１５ａを室外壁７０を介して外気に開口した室外側給気ダクト１５と、室外側排気口１６ａを外気に開口した室外側排気ダクト１６とが延出され、前記筐体８の他側には、Ｌ字状に折曲され、天井面７１に室内側排気口１７ａを開口した室内側排気ダクト１７が延出されるとともに、流路切換装置１９に接続される室内側給気ダクト１８が延出されている。
【００１５】
前記流路切換装置１９には、天井面７１に室内側給気口２０ａを開口した分岐ダクト２０が接続されるとともに、前記天井埋込形空気調和機１に向かい連結ダクト２１が延出されている。同連結ダクト２１は、流量調節弁２４を介して天井埋込形空気調和機１の前記筐体３を貫通し、前記熱交換器７の間隙部を通過し、開口端２１ａ前記送風ファン６の上流側に臨ませている。又、前記換気装置２の筐体８には、前記室外側排気ダクト１６に臨んで送風ファン１２が、前記室内側給気ダクト１８に臨んで送風ファン１３が夫々配設されている。又、同送風ファン１３の近傍には、通過する空気を加熱するラジアントヒータ１４と、通過する空気の温度を検出する第一温度センサ２２が設けられている。前記ラジアントヒータ１４は、遠赤外線を放射するシーズヒータと、同シーズヒータを覆う円筒状のカバーとからなり、前記室外側給気ダクト１５から吸込まれ、前記全熱交換器９を通過してきた空気を必要に応じて効率的に加熱することができるようになっている。又、室外壁７０の壁面には室内の温度を検出する第二温度センサ２３が配設されている。
【００１６】
前記全熱交換器９は、図２（Ｂ）で示すように、複数枚の仕切板９ａと、鋸歯状に形成された複数の通気板９ｂとを多段に積層して形成されており、前記仕切板９ａは伝熱性と透湿性とを有する素材により平板状に形成され、前記通気板９ｂは一段枚に直交するように配設されている。同通気板９ｂは給気通路と、これに直交する排気通路とを形成するようになっており、給気通路を通過する空気と排気通路を通過する空気とは、互いに熱交換するようになっている。
【００１７】
次に、動作について説明する。前記天井埋込形空気調和機１と前記換気装置２とを個別に運転する場合は、前記流路切換装置１９は前記室内側給気ダクト１８と前記室内側給気口２０ａとが連通するように設定される。前記天井埋込形空気調和機１では、前記吸込グリル４から吸込まれた室内の空気は、矢印で示すように、前記遠心式ファン６により前記熱交換器７に送出され、同熱交換器７で熱交換された後、前記吹出口３２から室内に吹出されるようになっている。
【００１８】
前記換気装置２では、前記送風ファン１２及び前記送風ファン１３が起動されると、矢印で示すように、前記室外側給気口１５ａから室外空気が給気として吸込まれ、前記室外側給気ダクト１５を介して前記全熱交換器９に流入する。前記室内側排気口１７ａからは室内の空気が排気として吸込まれ前記室内側排気ダクト１７を介して前記全熱交換器９に流入し、前記室外側給気ダクト１５を介して流入してきた給気と熱交換するようになっている。熱交換された給気は前記室内側給気ダクト１８と前記流路切換装置１９と前記分岐ダクト２０とを介して前記室内側給気口２０ａから室内に送出され、熱交換された排気は前記屋内側排気ダクト１６を介して前記屋内側排気口１６ａから屋内に放出されるようになっている。
【００１９】
次に、前記天井埋込形空気調和機１と前記換気装置２との併用する併用運転について説明する。併用運転の際、前記流路切換装置１９は切換られ、前記室内側給気ダクト１８と、前記天井埋込形空気調和機１に連結された前記連結ダクト２１とが連通するようになっている。天井埋込形空気調和機１の運転は、上記した個別運転の際と同じである。前記換気装置２の前記室外側給気ダクト１５を介して流入してきた外部の新鮮な給気は前記全熱交換器９を通過し、前記室内側給気ダクト１８と、前記連結ダクト２１とを介して前記天井埋込形空気調和機１の空気流路内に流入する。流入した空気は前記吸込グリル４から吸込まれた室内の空気と混合して前記熱交換器７により熱交換され前記吹出口５から室内に送出されるようになっている。
【００２０】
室内から吸込まれた空気と、外気からの給気とを混合して熱交換し、室内に送出することにより室内の温度調整と換気とを同時に行えるようになっている。又、図４の破線で示すように、混合運転の際、前記送風ファン１２を起動して排気運転を併用してもよく、あるいは前記送風ファン１２を停止させてもよい。
【００２１】
冬場等の低外気温時に、暖房運転と換気運転とを併用する併用運転では、前記換気装置２を通過し、前記連結ダクト２１を介して前記天井埋込形空気調和機１に供給される空気が前記熱交換器７により充分加熱されない場合には、前記吹出口５から低温の空気が吹出されることとなり、室温の低下を招いてしまう。この際、壁面に取付けられた前記第二温度センサ２３と、前記換気装置２内に設けられた前記第一温度センサ２２の検出値に基づいて、まず、前記連結ダクト２１に設けられた流量調節弁２４が制御され、前記換気装置２から前記天井埋込形空気調和機１に供給する空気量を調整し、室内から吸込まれた空気との混合比率を低減させるようになっている。混合比率を変えても、まだ室温の低下が続く際には、給気経路に設けられた前記加熱ヒータ１４に通電が開始され、前記全熱交換器９を通過してきた給気を加熱するようになっている。給気を加熱することにより、前記熱交換器７での熱交換を補助して、室内に充分加熱された暖気を送出できるようになり、室温に影響を与えずに暖房運転と換気運転とを併用できるようになっている。
【００２２】
本発明による他の効果として、空気調和機と換気装置とを連結して空調装置を構成することにより、例えば単数の換気装置に対し複数の空気調和機を連結して空調装置を構成することも可能であり、空調装置構成の自由度を増すことができるようになっている。又、天井埋込形空気調和機と換気装置とを連結することにより、室内空間での設置スペースが不要であり、使用快適性も改善することもできるようになっている。
【図面の簡単な説明】
【００２３】
【図１】本発明による空調装置を示す断面図である。
【図２】（Ａ）は、換気装置を示す断面図である。  （Ｂ）は、全熱交換器を示す斜視図である。
【図３】個別運転の際の空気の流れを示す断面図である。
【図４】併用運転の際の空気の流れを示す断面図である。
【図５】従来の空調装置を示す断面図である。
【符号の説明】
【００２４】
１  天井埋込形空気調和機
２  換気装置
３  筐体
４  吸込グリル
４ａ  フィルター
５  吹出口
５ａ  風向偏向板
６  送風ファン
６ａ  ファンモータ
７  熱交換器
８  筐体
９  全熱交換器
９ａ  仕切板
９ｂ  通気板
１０、１１  区画板
１２、１３  送風ファン
１４  加熱ヒータ
１５  室外側給気ダクト
１５ａ  室外側給気口
１６  室外側排気ダクト
１６ａ  室外側排気口
１７  室内側排気ダクト
１７ａ  室内側排気口
１８  室内側給気ダクト
１９  流路切換装置
２０  分岐ダクト
２０ａ  室内側給気口
２１  連結ダクト
２１ａ  開口端
２２、２３  温度センサ
２４  流量調節弁
７０  室外壁
７１  天井面
【図１】
2005337634.tif 000003
【図２】
2005337634.tif 000004
【図３】
2005337634.tif 000005
【図４】
2005337634.tif 000006
【図５】
2005337634.tif 000007